(57)【特許請求の範囲】
【請求項１】
寝た姿勢の人の頭部を支える枕部と、可撓性を有する所定形状の中空体で形成され、当該中空体の中空部分に連通する所定の連通路が接続され、前記枕部に配設される空気セルと、前記空気セルに前記連通路を介して接続され、空気セルに対し連通路を通じて空気を供給するポンプユニットとを備えるマッサージ器において、
前記枕部が、上側表面所定位置に段差のある凹み部分を形成される一方、上面の他の部分には所定深さの通気孔を多数形成される略枕形状で且つ多孔質の下側枕体と、当該下側枕体と同一素材で且つより多孔度を大とされて下側枕体の上側に沿って配設される略シート状の上側枕体との組合わせで形成され、前記下側枕体の前記凹み部分位置に生じる上側枕体と下側枕体との隙間に前記空気セルが収納配設され、当該空気セル内部から前記下側枕体表面の通気孔に通じる貫通孔を複数形成し、前記空気セル内部の空気を所定量外部に漏出させることを
特徴とするマッサージ器。
【請求項２】
前記請求項１に記載のマッサージ器において、前記枕部が、左右両側の所定幅部分を中央部分に対しより硬質に形成され、当該硬質部分のいずれか一方又は両方に前記連通路を着脱自在に接続可能とするコネクタ部を配設されてなることを
特徴とするマッサージ器。
【請求項３】
前記請求項１又は２に記載のマッサージ器において、前記枕部に連結されて背中下側に敷設される背中当接部を備え、前記枕部及び背中当接部に空気セルが複数配設され、前記枕部及び背中当接部の最外層部分が、枕部及び背中当接部全体にわたって被覆状態となる略袋状のカバー体として形成され、当該カバー体の内側部に所定の収納袋が一体に複数配設され、前記各収納袋に前記空気セルの少なくともいずれかが収納配設されることを
特徴とするマッサージ器。
【発明の詳細な説明】
【０００１】
【発明の属する技術分野】
本発明は、誰でも手軽に且つ適切にマッサージを受けられるようにするマッサージ器に関する。
【０００２】
【従来の技術】
人の身体の各部分に対し所定のマッサージ効果を与えるマッサージ器は、手に持って使う小さなものから椅子状、マット状などの大きいものまで様々な形状のものが従来から用いられ、また、マッサージ動作機構にも機械的に動きを発生させる方式や空気による容器の膨張・収縮を用いる方式など、多様な方式が採用されている。
【０００３】
こうした従来のマッサージ器のうち、マット上に仰向けで寝た状態の人に対しマッサージ効果を与えるエアマットタイプのものは、身体の多くの箇所に同時にマッサージ効果を与えることができると共に、機械式に比べると軽量であり、非使用時には折畳んで容易に持運べ、収納にも便利であるという特長を有し、従来から広く用いられてきた。このようなエアマットタイプのマッサージ器の一例を図７に示す。図７は従来のマッサージ器の斜視図である。
【０００４】
前記図７に示す従来のマッサージ器１００は、中空体のマット１０１と、このマット１０１内部に収納されて空気の注入、排出で膨張・収縮する複数の空気セル１０２と、この空気セル１０２に対し空気の加圧注入、吸引排出を行う空気注入排出装置１０３とを備える構成である。
この従来のマッサージ器１００では、人がマット１０１上に仰向けに寝た状態で空気注入排出装置１０３を作動させ、空気セル１０２に対する空気の注入、排出を適宜切換えて空気セル１０２の膨張・収縮を繰返させ、膨張時には身体に対する押圧力を発生させると共に収縮時には押圧状態を解除して、人の肩から背中、さらに腰から脚にかけて揉みとほぼ同等のマッサージ効果を与えることができる。
【０００５】
【発明が解決しようとする課題】
従来のマッサージ器は以上のように構成されていたことから、マットとして用いる関係上、コリの起りやすい首、及び肩から背中にかけての部分に対してマッサージ効果を与えるためのマッサージ器としては、占有面積が大きく、設置する場所が限られると共に、一旦空気を抜いて折畳まないと容易に持運んで場所を変えることができず、不便であるという課題を有した。
【０００６】
また、マットタイプと別のマッサージ器で前記各部分にマッサージ効果を与えられるものも従来から存在するが、これでは人が寝た姿勢の状態で首から背中までの部分にマッサージ効果を与えることはできないという課題を有していた。
本発明は前記課題を解消するためになされたもので、身体がリラックスした姿勢において、首、さらに肩から背中にかけて効果的且つ手軽にマッサージ効果を与えられると共に、構造が簡略な上にコンパクトで製造コスト低減も図れるマッサージ器を提供することを目的とする。
【０００９】
【課題を解決するための手段】
本発明に係るマッサージ器は、寝た姿勢の人の頭部を支える枕部と、可撓性を有する所定形状の中空体で形成され、当該中空体の中空部分に連通する所定の連通路が接続され、前記枕部に配設される空気セルと、前記空気セルに前記連通路を介して接続され、空気セルに対し連通路を通じて空気を供給するポンプユニットとを備えるマッサージ器において、前記枕部が、上側表面所定位置に段差のある凹み部分を形成される一方、上面の他の部分には所定深さの通気孔を多数形成される略枕形状で且つ多孔質の下側枕体と、当該下側枕体と同一素材で且つより多孔度を大とされて下側枕体の上側に沿って配設される略シート状の上側枕体との組合わせで形成され、前記下側枕体の前記凹み部分位置に生じる上側枕体と下側枕体との隙間に前記空気セルが収納配設され、当該空気セル内部から前記下側枕体表面の通気孔に通じる貫通孔を複数形成し、前記空気セル内部の空気を所定量外部に漏出させるものである。このように本発明においては、所定の下側枕体とより多孔度の大きい上側枕体との組合わせで形成される枕部の上側枕体と下側枕体との間の所定の隙間部分に空気セルが収納配設され、人が頭部を枕部上に載せた状態で、ポンプユニットを作動させて空気セルの膨張、収縮を繰返させ、空気セルでマッサージ対象となる首部を所定間隔で押圧刺激することにより、リラックスした姿勢の状態で首部に確実に揉みと同等のマッサージ効果を与えられることとなり、押圧力調節も空気セルへの空気供給量の調整で容易に行えてマッサージ器としての使い勝手に優れると共に、枕部の空気セルが膨張する場合に、空気セルからの押圧力が上側枕体を介して伝わることとなり、枕部が一部膨張することに伴う違和感を少なくでき、さらに、下側枕体に比べて多孔度の大きい上側枕体が頭部の近くに位置して通気性を確保し、頭部の蒸れを防いで快適感を得られる。また、空気セル内部から下側枕体表面の通気孔に通じる貫通孔を複数形成し、空気セル内部の空気を所定量外部に漏出させることで、頭部接触側に空気を少しずつ出し、枕部表面の頭部との接触による過度の湿りを解消して快適感をより一層向上させられる。
【００１０】
また、本発明に係るマッサージ器は必要に応じて、前記枕部が、左右両側の所定幅部分を中央部分に対しより硬質に形成され、当該硬質部分のいずれか一方又は両方に前記連通路を着脱自在に接続可能とするコネクタ部を配設されてなるものである。このように本発明においては、枕部の左右両側の所定幅部分が中央部分より硬質に形成されると共に、連通路を接続可能なコネクタ部が枕部側部に配置され、このコネクタ部の周囲を比較的硬質な部分で覆った状態とすることにより、中央部分とより硬質な両側部分で頭部の重みをバランスよく支持でき、重みによる枕部の過剰な変形を防げると共に、頭部とコネクタ部との間に硬質な部分が介在して頭部に対しコネクタ部の存在を異物感として与えることもなく、枕としての安定性及び使用感が向上する。さらに、コネクタ部周囲が大きく変形しないことにより、コネクタ部に力が加わってもコネクタ部が枕部から脱落しにくく、コネクタ部と枕部との一体化した状態を維持できる。
また、本発明に係るマッサージ器は必要に応じて、前記枕部に連結されて背中下側に敷設される背中当接部を備え、前記枕部及び背中当接部に空気セルが複数配設され、前記枕部及び背中当接部の最外層部分が、枕部及び背中当接部全体にわたって被覆状態となる略袋状のカバー体として形成され、当該カバー体の内側部に所定の収納袋が一体に複数配設され、前記各収納袋に前記空気セルの少なくともいずれかが収納配設されるものである。このように本発明においては、最外層部分をなすカバー体の各収納袋内に空気セルが収納配設され、人が身体の一部を枕部及び／又は背中当接部上に載せた状態で、ポンプユニットを作動させて空気セルの膨張、収縮を繰返させ、各空気セルでマッサージ対象となる身体の各部分を所定間隔で押圧刺激することにより、リラックスした姿勢の状態で身体各部分に確実に揉みと同等のマッサージ効果を与えられることとなり、押圧力調節も空気セルへの空気供給量の調整で容易に行えてマッサージ器としての使い勝手に優れると共に、空気セルを枕部及び／又は背中当接部の所定位置に保持する構造を著しく簡略化でき、製造も容易となり低コスト化が図れる。また、最外層で損傷しやすいカバー体を容易に交換でき、メンテナンス性にも優れる。
【００１１】
【発明の実施の形態】
以下、本発明の一実施の形態に係るマッサージ器を図１ないし図６に基づいて説明する。図１は本実施の形態に係るマッサージ器の斜視図、図２は本実施の形態に係るマッサージ器のカバー体省略状態の斜視図、図３は本実施の形態に係るマッサージ器の要部断面図、図４は本実施の形態に係るマッサージ器の底面側斜視図、図５は本実施の形態に係るマッサージ器の配管状態説明図、図６は本実施の形態に係るマッサージ器のポンプユニットの概略構成図である。
【００１２】
前記各図に示すように、本実施の形態に係るマッサージ器１は、寝た姿勢の人の頭部を支える前記当接部の一部分としての枕部１０と、枕部１０と一体化して背中下側に敷設される前記当接部の他部分としての背中当接部２０と、可撓性を有して空気注入排出に伴う変形に耐えうる所定形状の中空体で形成され、この中空体の中空部分に連通する連通路としての管６０が接続され、枕部１０における人体首部に沿う所定箇所及び背中当接部２０の所定箇所にそれぞれ配設される枕部空気セル３０、肩部空気セル４０及び背中空気セル５０と、各空気セル３０、４０、５０に前記管６０を介して接続され、各空気セル３０、４０、５０に対し管６０を通じて空気を繰返し注入もしくは排出するポンプユニット７０とを備える構成である。
【００１３】
前記枕部１０は、最外層部分となる略袋状のカバー体８０と、このカバー体８０の内側に配設される芯部分としての下側枕体１１及び上側枕体１２と、この上側枕体１２と下側枕体１１との間に膨張収縮自在に収納配設される枕部空気セル３０とを備える構成である。前記下側枕体１１は、人の頭部を支持可能な十分な大きさとされると共に、上面を人の頭部から首にかけての部分に沿う曲面とされる所定多孔度の略枕状体で形成され、ちょうど首に沿う位置となる上面所定範囲に段差のある凹み部分１１ａを形成される一方、上面の他の部分には所定深さの通気孔１１ｂを多数形成される構成である。
【００１４】
この下側枕体１１は、左右両側の所定幅部分を中央部分１１ｃに対しより硬質に形成された硬質部分１１ｄとされ、この硬質部分１１ｄそれぞれに前記管６０を着脱自在に接続可能とする所定のコネクタ部１３を配設されてなる。そして、このコネクタ部１３にそれぞれ連結されてコネクタ部１３と各空気セル３０、４０、５０とを連通させる管６０が下側枕体１１に内蔵され、このうち肩部空気セル４０及び背中空気セル５０に連結する三本の管６０は下側枕体１１を貫通して背中当接部２０側に伸びている。下側枕体１１左右両側のコネクタ部１３のうち、一方にはポンプユニット７０に繋がっている外部の管６０が着脱自在に接続される。下側枕体１１の硬質部分１１ｄにコネクタ部１３を配設していることで、コネクタ部１３に対し外部の管６０を着脱する際にコネクタ部１３に力が加わっても、コネクタ部１３周囲の硬質部分１１ｄが大きく変形せず、コネクタ部１３と下側枕体１１との一体状態を維持できる仕組みとなっている。
【００１５】
また、前記上側枕体１２は、下側枕体１１と同一素材で且つより多孔度を大とされた所定厚さの略シート状体で形成され、下側枕体１１の上側に沿って一体に配設される構成である。そして、下側枕体１１の前記凹み部分１１ａ位置に生じる上側枕体１２と下側枕体１１との隙間に、枕部空気セル３０が収納配設される仕組みとなっている。
【００１６】
前記カバー体８０は、枕部１０及び背中当接部２０の最外層部分として枕部１０及び背中当接部２０全体にわたって被覆状態となる可撓性素材製の略袋状体として形成される構成であり、枕部１０の最外層部分となる枕カバー部８０ａと背中当接部２０の最外層部分となる背中カバー部８０ｂとに大きく分けられ、このうち枕カバー部８０ａに下側枕体１１及び上側枕体１２が覆われる仕組みとなっている。
【００１７】
前記背中当接部２０は、最外層部分としてのカバー体８０の背中カバー部８０ｂと、この背中カバー部８０ｂ内側に配設されるクッション部２１と、背中カバー部８０ｂの内側部に一体に保持される二つの肩部空気セル４０及び背中空気セル５０とを備え、これらの組合わせで可撓性を有する略マット状体としてなる構成である。カバー体８０の背中カバー部８０ｂの内側部における左右対称位置となる二箇所には収納袋８１、８２が、また、内側部中央位置には収納袋８３がそれぞれカバー体８０と一体形成され、収納袋８１、８２には肩部空気セル４０が、収納袋８３には背中空気セル５０がそれぞれ収納配設される。これら各空気セル４０、５０には枕部１０側から延長された管６０が下側から接続されて連通しており、この管６０接続位置がちょうど首の下方に位置して直接身体と接触しにくいため、使用者に違和感を与えない。
【００１８】
前記ポンプユニット７０は、空気を所定の圧力で送出す公知のポンプ本体７１と、前記ポンプ本体７１の送気口にそれぞれ接続されると共に、枕部１０の枕部空気セル３０、及び背中当接部２０の肩部空気セル４０及び背中空気セル５０に対応してそれぞれ独立した管６０を介して接続され、各管６０を通じた各空気セル３０、４０、５０に対する空気の注入状態と排出状態をそれぞれ切換える複数の電磁弁７２と、この電磁弁７２及びポンプ本体７１を制御して各空気セル３０、４０、５０に対し空気の注入と排出を繰返してそれぞれ膨張・収縮動作を行わせる制御部７３と、この制御部７３に対して人が動作指示を与えるための操作部（図示を省略）とを備える構成である。
【００１９】
次に、前記構成に基づくマッサージ器の動作について説明する。まず、マッサージを受けようとする人が枕部１０に頭部を、背中当接部２０に背中をそれぞれ載せ、リラックスした姿勢となった状態で、操作部を操作してポンプユニット７０の動作開始を指示する。ポンプユニット７０では、ポンプ本体７１が作動して送気を開始すると共に、制御部７３が所定の電磁弁７２を制御し、電磁弁７２は管６０をポンプ本体７１に連通させる状態となる。ポンプ本体７１は管６０を介して各空気セル３０、４０、５０のいずれか一つ又は複数に空気を加圧注入して膨張させ、空気セルの膨張による押圧力が身体接触部分に伝わる。
【００２０】
一方、空気を加圧注入された空気セルが最大限膨張したら、制御部７３での制御により電磁弁７２は管６０を外部に連通させる状態に切り替り、空気セルからは空気が排出され、空気セルは収縮して押圧力を減衰させ、身体接触部分に押圧力を与えない状態となる。この後、空気セルが最大限収縮したら、電磁弁７２が再度管６０とポンプ本体７１とが連通する状態に切り替え、空気セルにポンプ本体７１から空気が注入される状態となる。
【００２１】
このようにして、各空気セル３０、４０、５０に対する空気の注入並びに排出の各状態が繰返され、各空気セル３０、４０、５０がそれぞれ膨張・収縮することで、マッサージ対象箇所を枕部１０及び背中当接部２０の各空気セル３０、４０、５０位置で断続的に押圧刺激し、揉み動作と同じようなマッサージ効果を与えられる。これら各空気セル３０、４０、５０の膨張による押圧力は、ポンプ本体７１から各空気セル３０、４０、５０に送込まれる空気量で調節され、制御部７３で適切な押圧力となるよう空気量を制御される。
【００２２】
また、背中当接部２０の肩部空気セル４０及び背中空気セル５０については、制御部７３による電磁弁７２の制御で、三箇所の各空気セル４０、５０のうち、中央の背中空気セル５０を膨張させている際には左右二つの肩部空気セル４０は収縮させ、背中空気セル５０によるマッサージ効果を発生させると共に、逆に背中空気セル５０を収縮させている際には左右の肩部空気セル４０を膨張させ、肩部分にマッサージ効果を与えるようにしている。
【００２３】
このように、本実施の形態に係るマッサージ器においては、枕部空気セル３０が枕部１０に、肩部空気セル４０及び背中空気セル５０が背中当接部２０にそれぞれ配設され、枕部１０の上に人が頭部を載せ、且つ背中当接部２０の上に背中を載せた状態で、ポンプユニット７０を作動させて各空気セル３０、４０、５０の膨張、収縮を繰返させ、マッサージ対象となる首、さらに肩から背中にかけての部分をこれらの部分に沿って位置する所定の空気セルで押圧刺激することから、リラックスした姿勢の状態でマッサージ対象の各部分に確実に揉みと同等のマッサージ効果を与えられると共に、肩部空気セル４０及び背中空気セル５０をカバー体８０と一体の収納袋８１、８２、８３に収納配設することで各空気セル４０、５０の背中当接部２０における保持構造が大幅に簡略化され、製造が容易となって低コスト化を図れる。また、枕部１０のカバー体８０内側が下側枕体１１とより多孔度の大きい上側枕体１２との組合わせとされ、且つ下側枕体１２と上側枕体１１との間の隙間部分に枕部空気セル３０が配設され、枕部空気セル３０の膨張する際の押圧力が上側枕体１２を介して伝わることから、枕部１０が一部膨張することに伴う違和感を少なくでき、加えて、下側枕体１１に比べて多孔度の大きい上側枕体１２が頭部の近くに位置するため、通気性が確保されて頭部の蒸れもなく快適感を得られる。さらに、枕部１０の左右両側の所定幅部分が硬質部分１１ｄとして中央部分１１ｃより硬質に形成されると共に、コネクタ部１３が硬質部分１１ｄに配設されることから、中央部分１１ｃと左右の硬質部分１１ｄで頭部の重みをバランスよく支持できると共に、頭部とコネクタ部１３との間に硬質部分１１ｄが介在して頭部に対しコネクタ部１３の存在を異物感として与えることもなく、枕としての安定性及び使用感が向上する。
【００２４】
なお、前記実施の形態に係るマッサージ器において、肩部空気セル４０及び背中空気セル５０をカバー体８０と一体の収納袋８１、８２、８３に収納配設する構成としているが、これに限らず、所定の略薄板状の支持部材に肩部空気セル４０及び／又は背中空気セル５０を固定し、支持部材ごと空気セルをカバー体８０の背中カバー部８０ｂで被覆して背中当接部２０とする構成にすることもできる。また、枕部空気セル３０を枕部１０の下側枕体１１と上側枕体１２との間に配設する構成としているが、この他、前記肩部空気セル４０及び背中空気セル５０同様に、枕部空気セル３０もカバー体８０の枕カバー部８０ａ内側に一体形成した収納袋に収納配設する構成とすることもできる。
【００２５】
また、前記実施の形態に係るマッサージ器において、枕部空気セル３０からの空気の排出は管６０を通じてのみ行える構成としているが、これに限らず、枕部空気セル３０内部から下側枕体１１表面の通気孔１１ｂに通じる貫通孔を複数形成し、枕部空気セル３０内部の空気を所定量外部に漏出させる構成とすることもでき、頭部接触側に空気を少しずつ出すことで、枕部１０表面の頭部との接触による過度の湿りを解消して快適感をより一層向上させられる。
【００２６】
さらに、前記実施の形態に係るマッサージ器においては、枕部１０及び背中当接部２０にそれぞれ頭部及び背中を載せ、首から背中にかけてマッサージ動作を行わせる構成としているが、これに限らず、人体の他の部分、例えば、腰部を載せて、腰部に対するマッサージを行わせるようにすることもできる。
【００２９】
【発明の効果】
以上のように本発明によれば、所定の下側枕体とより多孔度の大きい上側枕体との組合わせで形成される枕部の上側枕体と下側枕体との間の所定の隙間部分に空気セルが収納配設され、人が頭部を枕部上に載せた状態で、ポンプユニットを作動させて空気セルの膨張、収縮を繰返させ、各空気セルでマッサージ対象となる首部を所定間隔で押圧刺激することにより、リラックスした姿勢の状態で首部に確実に揉みと同等のマッサージ効果を与えられることとなり、押圧力調節も空気セルへの空気供給量の調整で容易に行えてマッサージ器としての使い勝手に優れると共に、枕部の空気セルが膨張する場合に、空気セルからの押圧力が上側枕体を介して伝わることとなり、枕部が一部膨張することに伴う違和感を少なくでき、さらに、下側枕体に比べて多孔度の大きい上側枕体が頭部の近くに位置して通気性を確保し、頭部の蒸れを防いで快適感を得られるという効果を有する。また、空気セル内部から下側枕体表面の通気孔に通じる貫通孔を複数形成し、空気セル内部の空気を所定量外部に漏出させることで、頭部接触側に空気を少しずつ出し、枕部表面の頭部との接触による過度の湿りを解消して快適感をより一層向上させられるという効果を有する。
【００３０】
また、本発明によれば、枕部の左右両側の所定幅部分が中央部分より硬質に形成されると共に、連通路を接続可能なコネクタ部が枕部側部に配置され、このコネクタ部の周囲を比較的硬質な部分で覆った状態とすることにより、中央部分とより硬質な両側部分で頭部の重みをバランスよく支持でき、重みによる枕部の過剰な変形を防げると共に、頭部とコネクタ部との間に硬質な部分が介在して頭部に対しコネクタ部の存在を異物感として与えることもなく、枕としての安定性及び使用感が向上するという効果を有する。さらに、コネクタ部周囲が大きく変形しないことにより、コネクタ部に力が加わってもコネクタ部が枕部から脱落しにくく、コネクタ部と枕部との一体化した状態を維持できるという効果を有する。  また、本発明によれば、最外層部分をなすカバー体の各収納袋内に空気セルが収納配設され、人が身体の一部を枕部及び／又は背中当接部上に載せた状態で、ポンプユニットを作動させて空気セルの膨張、収縮を繰返させ、各空気セルでマッサージ対象となる身体の各部分を所定間隔で押圧刺激することにより、リラックスした姿勢の状態で身体各部分に確実に揉みと同等のマッサージ効果を与えられることとなり、押圧力調節も空気セルへの空気供給量の調整で容易に行えてマッサージ器としての使い勝手に優れると共に、空気セルを枕部及び／又は背中当接部の所定位置に保持する構造を著しく簡略化でき、製造も容易となり低コスト化が図れるという効果を奏する。また、最外層で損傷しやすいカバー体を容易に交換でき、メンテナンス性にも優れるという効果を有する。
【図面の簡単な説明】
【図１】本発明の一実施の形態に係るマッサージ器の斜視図である。
【図２】本発明の一実施の形態に係るマッサージ器のカバー体省略状態の斜視図である。
【図３】本発明の一実施の形態に係るマッサージ器の要部断面図である。
【図４】本発明の一実施の形態に係るマッサージ器の底面側斜視図である。
【図５】本発明の一実施の形態に係るマッサージ器の配管状態説明図である。
【図６】本発明の一実施の形態に係るマッサージ器のポンプユニットの概略構成図である。
【図７】従来のマッサージ器の斜視図である。
【符号の説明】
１、１００      マッサージ器
１０      枕部
１１      下側枕体
１１ａ    凹み部分
１１ｂ    通気孔
１１ｃ    中央部分
１１ｄ    硬質部分
１２      上側枕体
１３      コネクタ部
２０      背中当接部
２１      クッション部
３０      枕部空気セル
４０      肩部空気セル
５０      背中空気セル
６０      管
７０      ポンプユニット
７１      ポンプ本体
７２      電磁弁
７３      制御部
８０      カバー体
８０ａ    枕カバー部
８０ｂ    背中カバー部
８１、８２、８３    収納袋
１０１    マット
１０２    空気セル
１０３    空気注入排出装置
【図１】
0004505109.tif 000002
【図２】
0004505109.tif 000003
【図３】
0004505109.tif 000004
【図４】
0004505109.tif 000005
【図５】
0004505109.tif 000006
【図６】
0004505109.tif 000007
【図７】
0004505109.tif 000008